(57)【特許請求の範囲】
【請求項１】
第２のセルによってオーバーラップされる第１のセル内での通信を制御するための方法であって、
前記第１のセルと通信するように選択されたデバイスの数を示す信号を前記第２のセルにおいて受信するステップであって、前記第１のセルと通信するように選択された前記デバイスの数は、前記第１のセルと通信するようにスケジュールされたデバイスの数の、前記第１のセルと通信するように構成されたデバイスの数に対する比率に基づく、ステップと、
前記第１のセルと通信するように選択された前記デバイスの数に基づいて、前記第１のセル内で通信が行われるのが許可される一組のサブフレームを識別するステップと、
前記一組のサブフレームを示すものを前記第１のセルに対して配信するステップと
を含む方法。
【請求項２】
第２のセルによってオーバーラップされる第１のセル内での通信を制御するための方法であって、
前記第１のセルと通信するように選択されたデバイスの数を示す信号を前記第１のセルから配信するステップであって、前記第１のセルと通信するように選択された前記デバイスの数は、前記第１のセルと通信するようにスケジュールされたデバイスの数の、前記第１のセルと通信するように構成されたデバイスの数に対する比率に基づく、ステップと、
前記第１のセルと通信するように選択された前記デバイスの数に基づいて、前記第１のセル内で通信が行われるのが許可される一組のサブフレームを示す信号を受信するステップと、
前記一組のサブフレーム中、前記第１のセルを経由して１つまたは複数の前記デバイスと通信するステップと
を含む方法。
【請求項３】
第２のセルによってオーバーラップされる第１のセル内での通信を制御するための方法であって、
前記第１のセルと通信するように選択されたデバイスの数を前記第１のセルにおいて識別し、前記数を前記第２のセルに対して伝達するステップであって、前記第１のセルと通信するように選択された前記デバイスの数は、前記第１のセルと通信するようにスケジュールされたデバイスの数の、前記第１のセルと通信するように構成されたデバイスの数に対する比率に基づく、ステップと、
前記第２のセルにおいて前記数を受信し、前記数に基づいて、前記第１のセル内で通信が行われるのが許可される一組のサブフレームを識別するステップと、
前記一組のサブフレームを示すものを前記第２のセルから前記第１のセルに対して配信するステップと、
前記一組のサブフレーム中、前記第１のセルにより１つまたは複数の前記デバイスと通信するステップと
を含む方法。
【請求項４】
前記第１のセルと通信するように選択された前記デバイスの数は、前記第１のセルと通信するように構成されたデバイスの数をさらに含む、請求項１、２、または３に記載の方法。
【請求項５】
前記第１のセルと通信するように選択された前記デバイスの数は、前記第１のセルと通信するようにスケジュールされたデバイスの数をさらに含む、請求項１、２、または３に記載の方法。
【請求項６】
前記第１のセルと通信するように選択された前記デバイスの数は、前記第１のセルと通信するようにスケジュールされたデバイスの数と、前記第１のセルと通信するように構成されたデバイスの数とをさらに含む、請求項１、２、または３に記載の方法。
【請求項７】
前記一組のサブフレームは、前記第２のセル内で実質的に通信が行われない一組のサブフレームをさらに含む、請求項１、２、または３に記載の方法。
【請求項８】
前記一組のサブフレームは、ほぼブランクの一組のサブフレームをさらに含む、請求項１、２、または３に記載の方法。
【請求項９】
前記第１のセルと通信するように選択された前記デバイスの数に基づいて、前記第１のセル内で通信が行われるのが許可される前記一組のサブフレームを識別するステップは、前記第１のセルと通信するように選択されたデバイスの数の増大に応じて、前記一組のサブフレームのサイズを増大させるステップをさらに含む、請求項１または３に記載の方法。
【請求項１０】
前記第１のセルと通信するように選択された前記デバイスの数に基づいて、前記第１のセル内で通信が行われるのが許可される一組のサブフレームを示す信号を受信するステップは、前記第１のセルと通信するように選択されたデバイスの数の増大に応じた前記一組のサブフレームのサイズの増大を示す信号を受信するステップをさらに含む、請求項２に記載の方法。
【発明の詳細な説明】
【技術分野】
【０００１】
関連出願の相互参照
本出願は、２０１１年８月１６日に出願された米国仮特許出願第６１／５２４，２９２号の優先権を主張するものである。
【０００２】
本出願は、一般に通信システムに関し、より詳細には、ワイヤレス通信システムに関する。
【背景技術】
【０００３】
ワイヤレス通信システムは、モバイル・ユニットと、スマートフォンと、タブレット・デバイスと、ラップトップと、デスクトップと、他のタイプのユーザ機器とを含めて、ワイヤレス対応デバイスに対してワイヤレス接続を提供するためのデバイスのネットワークを含んでいる。ネットワーク・アーキテクチャは、概して、２つの広いカテゴリ、すなわち、階層型アーキテクチャと、分散型アーキテクチャとに分類される。階層型ネットワーク・アーキテクチャは、中央集中したエンティティを使用して、モビリティ管理と無線リソース制御とを取り扱っていた。例えば、従来の階層型通信においては、サーバは、無線ネットワーク制御装置（ＲＮＣ：Radio Network Controller）などの中心的な要素に対して、宛先がターゲット・アクセス端末である音声信号および／またはデータ信号を送信する。次いで、ＲＮＣは、ターゲット・アクセス端末の場所を特定するために、１つまたは複数のアクセス・ノードを経由してターゲット・アクセス端末に対してページング・メッセージを送信することができる。ターゲット・アクセス端末は、ネットワークからページを受信したことに応じて、１つまたは複数のアクセス・ノードに対する通信リンクを確立することができる。ＲＮＣの内部の無線リソース管理機能は、音声信号および／またはデータ信号を受信し、またアクセス・ノードの組によって使用される無線リソースと時間リソースとを調整して、ターゲット・アクセス端末に対して情報を送信する。無線リソース管理機能は、きめ細かな制御を実行して、１組のアクセス・ノード上でのブロードキャスト伝送のためにリソースを割り付けて、公開することができる。
【０００４】
対照的に、分散型ネットワークは、分散型通信ネットワーク機能を実施するアクセス・ポイントを含んでいる。例えば、各分散型アクセス・ポイントは、１つまたは複数のアクセス端末と、インターネットなどの外部ネットワークとの間の無線リンクを管理する単一のエンティティにおいて、ＲＮＣ機能および／またはパケット・データ・サービング・ノード（ＰＤＳＮ：Packet Data Serving Node）機能の一部分またはすべてを組み合わせることができる。分散型アクセス・ポイントは、同等のＩＰ機能に対するコア・ネットワーク要素サポートを利用するプロキシ機能を実施することができる。例えば、ＵＭＴＳ基地局ルータにおけるＩＰアンカリングは、基地局ルータが、同等のモバイルＩＰ信号方式を通してプロキシするモバイルＩＰホーム・エージェント（ＨＡ：Home Agent）アンカリング機能と、ゲートウェイＧＰＲＳサポート・ノード（ＧＧＳＮ：Gateway GPRS Support Node）アンカリング機能とを通して提供される可能性がある。階層型ネットワークと比べると、分散型アーキテクチャは、ネットワークを展開するコストおよび／または複雑さ、ならびに既存のネットワークのカバレッジを拡大するために追加のアクセス・ポイントを追加するコストおよび／または複雑さを低減させる可能性を有する。階層型ネットワークのＲＮＣおよびＰＤＳＮにおけるパケット待ち行列遅延が、低減され、または取り除かれる可能性があるので、分散型ネットワークはまた、ユーザによって経験される遅延を（階層型ネットワークに対して相対的に）低減させることもできる。
【０００５】
少なくとも部分的には基地局ルータを展開する低減されたコストと複雑さとのために、基地局ルータは、従来の基地局の場合には非実用的であるロケーションに展開されることもある。例えば、基地局ルータは、住居または建物の中に展開されて、その住居またはその建物の占有者に対してワイヤレス接続性を提供することができる。住居の中に展開される基地局ルータは、それらが、住居を包含する小規模エリアに対してワイヤレス接続性を提供することを意図しているので、一般的に、ホーム基地局ルータ、またはフェムトセルと称される。ホーム基地局ルータはまた、マイクロセル、ピコセル、小規模セルなどとも称されることもある。しかしながら、ホーム基地局ルータにおける機能は、一般的に、およそ数平方キロメートルのエリアをカバーすることができるマクロセルに対してワイヤレス接続性を提供することを意図している従来の基地局ルータにおいて実施される機能にかなり類似している。ホーム基地局ルータと、従来の基地局ルータとの間の１つの重要な違いは、ホーム基地局ルータが、在庫があってすぐに入手可能なように購入され、また門外漢の人によって簡単にインストールされ得るプラグ・アンド・プレイ・デバイスであるように設計されることである。
【０００６】
通信ネットワークが、成長し、また進化するにつれて、それらは、異なる規格および／またはプロトコルに従ってネットワーク接続性を提供する、非常に多くのタイプおよび世代のワイヤレス通信システムを組み込んでいる。異なる規格および／またはプロトコルに従って動作する異なるタイプのアクセス・デバイスを実施するネットワークは、一般的に異種ネットワークと称される。例示の異種ネットワークは、フェムトセル（例えば、ＩＥＥＥ  ８０２．１１規格、ＩＥＥＥ  ８０２．１５規格、またはＷｉ−Ｆｉ規格に従ってワイヤレス接続性を提供するシステム）に対するワイヤレス接続性を提供するシステムと、またマクロセル（例えば、第３世代パートナーシップ・プロジェクト規格−３ＧＰＰ、３ＧＰＰ２−に従って動作するシステム、および／またはＩＥＥＥ  ８０２．１６規格とＩＥＥＥ  ８０２．２０規格とに従って動作するシステム）に対するワイヤレス接続性を提供するシステムとを含む。第２世代（２Ｇ）規格と、第３世代（３Ｇ）規格と、第４世代（４Ｇ）規格とを含めて、複数の世代のこれらのシステムが、展開されてきている。
【０００７】
異種通信システムにおいて異なるサービス・プロバイダによって提供されるカバレッジは、交差し、かつ／またはオーバーラップすることができる。例えば、ワイヤレス・ローカル・エリア・ネットワークのためのワイヤレス・アクセス・ノードが、セルラー方式通信システムの基地局に関連するマクロセル・カバレッジ・エリアの内部にあるコーヒー・ショップに関連するフェムトセル、マイクロセル、またはピコセルの中のモバイル・ノードに対してネットワーク接続性を提供することができる。別の例では、複数のサービス・プロバイダからのセルラー方式電話カバレッジは、オーバーラップする可能性があり、またモバイル・ノードは、それゆえに、例えば、１つのサービス・プロバイダが、３Ｇシステムを実施し、また別のサービス・プロバイダが、４Ｇシステムを実施するときに、異なる世代の無線アクセス技術を使用して、ワイヤレス通信システムにアクセスすることができる可能性がある。さらに別の例では、例えば、サービス・プロバイダが、３Ｇシステムを展開しており、また４Ｇシステムへと徐々にアップグレードするプロセスの中にあるときに、単一のサービス・プロバイダは、オーバーレイした無線アクセス技術を使用してカバレッジを提供することができる。
【０００８】
オーバーレイしたカバレッジ・エリアへの伝送は、お互いに干渉する可能性がある。例えば、マクロセルによって送信されるダウンリンク信号は、多くの場合に、ピコセルのオーバーレイしたカバレッジ・エリアの一部分においてピコセルによって送信されるダウンリンク信号よりも強くなる。ピコセルによってサービスされるユーザ機器は、それゆえに、マクロセルから強い干渉信号を受信する可能性があり、これは、ユーザ機器についての信号対雑音比を劇的に低減させることができる。セル間干渉調整（Intercell interference coordination）（ＩＣＩＣ、ｅＩＣＩＣ）を使用して、この干渉を低減させ、または緩和することができる。例えば、ほぼブランクのサブフレーム（ＡＢＳ：almost blank subframes）は、１つまたは複数のサブフレーム中に規定される可能性がある。マクロセルは、ほぼブランクのサブフレーム中のダウンリンク・トラフィックの伝送をバイパスして、オーバーレイしたピコセルによって現在サービスされているユーザ機器についての干渉を低減させる。しかしながら、ほぼブランクのサブフレームの割付けを管理する規格は、明確さを欠いており、また効率的で動的なＡＢＳアルゴリズムをサポートするための十分なメカニズムを提供していない。
【先行技術文献】
【非特許文献】
【０００９】
【非特許文献１】３ＧＰＰ技術仕様３６．４２３
【非特許文献２】ＬＴＥリリース１０  ｅＩＣＩＣ
【発明の概要】
【発明が解決しようとする課題】
【００１０】
開示された主題は、上記で説明される１つまたは複数の問題の影響に対処することを対象としている。以下は、開示された主題のいくつかの態様についての基本的な理解を提供するために、開示された主題の簡略化された概要を提示するものである。この概要は、開示された主題の網羅的な概説ではない。開示された主題の重要な要素、または不可欠な要素を識別すること、あるいは開示された主題の範囲を示すことを意図してはいない。その唯一の目的は、後で論じられるより詳細な説明に対する前置きとして簡略化された形態でいくつかの概念を提示することである。
【課題を解決するための手段】
【００１１】
一実施形態においては、第２のセルによってオーバーラップされる第１のセル内での通信を制御するための方法の実施形態が提供される。本方法の一実施形態は、第１のセルと通信するように選択されたデバイスの数を示す信号を第２のセルにおいて受信するステップと、一組のサブフレームを識別するステップであって、一組のサブフレーム中、第１のセルと通信するように選択されたデバイスの数に基づいて第１のセル内で通信が行われるのが許可されるステップとを含む。本方法のこの実施形態はまた、一組のサブフレームを示すものを第１のセルに対して配信するステップを含んでいる。この方法の実施形態を実施する装置もまた、提供される。
【００１２】
別の実施形態においては、第２のセルによってオーバーラップされる第１のセル内での通信を制御するための方法の実施形態が提供される。本方法の一実施形態は、第１のセルと通信するように選択されたデバイスの数を示す信号を第１のセルから配信するステップと、一組のサブフレームを示す信号を受信するステップであって、一組のサブフレーム中、第１のセルと通信するように選択されたデバイスの数に基づいて第１のセル内で通信が行われるのが許可されるステップとを含む。この実施形態はまた、一組のサブフレーム中、第１のセルを経由して１つまたは複数のデバイスと通信するステップを含んでいる。この方法の実施形態を実施する装置もまた、提供される。
【００１３】
別の実施形態においては、第２のセルによってオーバーラップされる第１のセル内での通信を制御するための方法の実施形態が提供される。一実施形態は、第１のセルと通信するように選択されたデバイスの数を第１のセルにおいて識別し、その数を第２のセルに伝達するステップを含む。この実施形態はまた、第２のセルにおいて数を受信し、一組のサブフレームを識別するステップであって、一組のサブフレーム中、数に基づいて第１のセル内で通信が行われるのが許可されるステップを含む。この実施形態は、一組のサブフレームを示すものを第１のセルに対して配信するステップと、一組のサブフレーム中、第１のセルを経由して１つまたは複数のデバイスと通信するステップとをさらに含む。この方法の実施形態を実施する装置もまた、提供される。
【００１４】
別の実施形態においては、第２のセルによってオーバーラップされる第１のセル内での通信を制御するための方法の実施形態が提供される。一実施形態は、一組のサブフレームを第２のセルにおいて識別するステップであって、一組のサブフレーム中、第１のセル内で通信が行われるのが許可されるステップと、一組のサブフレームを示すものを第１のセルに対して配信するステップとを含む。この実施形態はまた、一組のサブフレームを変更する要求を第２のセルにおいて受信するステップであって、一組のサブフレーム中、第１のセル内で通信が行われるのが許可されるステップを含んでいる。この方法の実施形態を実施する装置もまた、提供される。
【００１５】
別の実施形態においては、第２のセルによってオーバーラップされる第１のセル内での通信を制御するための方法の実施形態が提供される。本方法の一実施形態は、一組のサブフレームを第２のセルから受信するステップであって、一組のサブフレーム中、第１のセル内で通信が行われるのが許可されるステップと、一組のサブフレームを変更する要求を第２のセルに対して送信するステップであって、一組のサブフレーム中、第１のセル内で通信が行われるのが許可されるステップとを含む。この方法の実施形態を実施する装置もまた、提供される。
【００１６】
別の実施形態においては、第２のセルによってオーバーラップされる第１のセル内での通信を制御するための方法の実施形態が提供される。本方法の一実施形態は、一組のサブフレームを第２のセルにおいて識別するステップであって、一組のサブフレーム中、第１のセル内で通信が行われるのが許可されるステップと、一組のサブフレームを示すものを第１のセルに対して配信するステップとを含む。この実施形態はまた、一組のサブフレームを変更する要求を第２のセルに対して送信するステップであって、一組のサブフレーム中、第１のセル内で通信が行われるのが許可されるステップを含んでいる。この方法の実施形態を実施する装置もまた、提供される。
【００１７】
別の実施形態においては、第２のセルによってオーバーラップされる第１のセル内での通信を制御するための方法の実施形態が提供される。本方法の一実施形態は、第１のセルと通信するように選択されたデバイスの数を示す信号を第２のセルにおいて受信するステップと、一組のサブフレームを第２のセルにおいて識別するステップであって、一組のサブフレーム中、第１のセルと通信するように選択されたデバイスの数に基づいて第１のセル内で通信が行われるのが許可されるステップとを含む。この実施形態はまた、一組のサブフレームを示すものを第１のセルに対して配信するステップと、サブフレームの組を変更する要求を第２のセルにおいて受信するステップであって、一組のサブフレーム中、第１のセル内で通信が行われるのが許可されるステップとを含む。この方法の実施形態を実施する装置もまた、提供される。
【００１８】
別の実施形態においては、第２のセルによってオーバーラップされる第１のセル内での通信を制御するための方法の実施形態が提供される。この方法の実施形態は、第１のセルと通信するように選択されたデバイスの数を示す信号を第１のセルから配信するステップと、一組のサブフレームを示す信号を受信するステップであって、一組のサブフレーム中、第１のセルと通信するように選択されたデバイスの数に基づいて第１のセル内で通信が行われるのが許可されるステップとを含む。この実施形態はまた、一組のサブフレーム中、第１のセルを経由して１つまたは複数のデバイスと通信するステップと、一組のサブフレームを変更する要求を第２のセルに対して送信するステップであって、一組のサブフレーム中、第１のセル内で通信が行われるのが許可されるステップとを含む。この方法の実施形態を実施する装置もまた、提供される。
【００１９】
別の実施形態においては、第２のセルによってオーバーラップされる第１のセル内での通信を制御するための方法の実施形態が提供される。本方法の一実施形態は、第１のセルと通信するように選択されたデバイスの数を第１のセルにおいて識別するステップと、第２のセルに対してその数を伝達し、第２のセルにおいてその数を受信するステップと、一組のサブフレームを識別するステップであって、一組のサブフレーム中、数に基づいて第１のセル内で通信が行われるのが許可されるステップとを含む。この実施形態はまた、一組のサブフレームを示すものを第１のセルに対して配信するステップと、一組のサブフレーム中、第１のセルを経由して１つまたは複数のデバイスと通信するステップとを含む。この実施形態は、一組のサブフレームを変更する要求を第２のセルに対して送信するステップであって、一組のサブフレーム中、第１のセル内で通信が行われるのが許可されるステップをさらに含んでいる。この方法の実施形態を実施する装置もまた、提供される。
【００２０】
開示された主題は、添付図面と併せて解釈される以下の説明に関連して理解される可能性があり、図面の中で、同様な参照番号は、同様な要素を識別する。
【図面の簡単な説明】
【００２１】
【図１】マクロｅＮＢと、ピコセルｅＮＢとの間のＸ２インターフェースの上の従来のメッセージ・フローを概念的に示す図である。
【図２】ほぼブランクのサブフレーム（ＡＢＳ）パターンを要求する方法の第１の例示の実施形態を概念的に示す図である。
【図３】ほぼブランクのサブフレーム（ＡＢＳ）パターンを要求する方法の第２の例示の実施形態を概念的に示す図である。
【発明を実施するための形態】
【００２２】
開示された主題は、様々な修正形態および代替的な形態を受け入れる余地があり、その特定の実施形態は、図面においては例として示されており、また本明細書において、詳細に説明される。しかしながら、特定の実施形態についての本明細書における説明は、開示された主題を開示される特定の形態だけに限定することを意図してはいないが、それどころか、意図は、添付の特許請求の範囲についての範囲内に含まれるすべての修正形態と、同等形態と、代替形態とを対象として含むことであることを理解すべきである。
【００２３】
実例となる実施形態が、以下で説明される。明確にするために、実際の実装形態についての必ずしもすべての特徴が、この明細書において説明されているとは限らない。どのようなそのような実際の実施形態の開発においても、非常に多くの実装形態特有の決定が、システムに関連した制約条件やビジネスに関連した制約条件との準拠など、開発者の特定の目標を達成するために行われることもあり、それらの制約条件は、実施形態ごとに変化する可能性があることが、もちろん、理解されるであろう。さらに、そのような開発努力は、複雑であり、また時間がかかる可能性があるが、それにもかかわらず、この開示の恩恵を受ける当業者のための引き受けるルーチンになることが、理解されるであろう。
【００２４】
開示された主題は、次に、添付された図面を参照して説明されるであろう。様々な構造、システムおよびデバイスが、説明だけの目的のために、また当業者によく知られている詳細で本発明をあいまいにすることのないように、図面の中で概略的に示される。それにもかかわらず、添付された図面は、開示された主題についての実例となる例を記述し、また説明するように含められている。本明細書において使用される単語および語句は、関連する技術分野における当業者によるこれらの単語および語句の理解と整合した意味を有するように、理解され、また解釈されるべきである。用語または語句の特別な定義は、すなわち、当業者によって理解されるような通常の、また慣習となっている意味とは異なる定義は、本明細書における用語または語句の整合した使用によって暗に伝えられることを意図してはいない。用語または語句が、特別な意味を、すなわち、特別な定義など、当業者によって理解される意味以外の意味を有することを意図している限りでは、そのような特別な定義は、用語または語句についての特別な定義を直接に、またはっきりと提供する定義する方法で、明細書の中に明示的に記載されるであろう。
【００２５】
一般に、本出願は、オーバーレイしたワイヤレス・カバレッジを提供する複数の基地局または他の複数のアクセス・デバイスの間の通信を容易にするための技法の実施形態を説明するものである。一実施形態においては、それらのデバイスは、合意された規格および／またはプロトコルに従って規定される情報要素を含むメッセージを送信することにより通信する。例えば、第３世代パートナーシップ・プロジェクト（３ＧＰＰ）によって規定される規格および／またはプロトコルのロング・ターム・エボリューション（ＬＴＥ：Long Term Evolution）は、複数のｅ−ノードＢ（ｅＮＢ：e-node B）の間の信号方式を提供するためのＸ２インターフェースを指定する。Ｘ２インターフェースを使用して、モビリティ管理、負荷管理、エラー報告などに関連した信号を搬送する。Ｘ２インターフェースの実施形態は、３ＧＰＰ技術仕様３６．４２３の中で説明される。
【００２６】
ＬＴＥリリース１０  ｅＩＣＩＣにおいては、Ｘ２インターフェースが、ほぼブランクのサブフレーム（ＡＢＳ）のステータスを示す情報要素（ＩＥ：information element）を含むメッセージをサポートすることが、合意されている。ＡＢＳステータスＩＥを使用して、Ｘ２信号方式調整が、ＡＢＳパターンの修正についての必要性を評価するＡＢＳを指定するｅＮＢを支援することを容易にすることができる。例えば、ＡＢＳパターンは、４０ｍｓの周期的サブフレーム構造の中の４０個のサブフレームのうちのどれが、ＡＢＳサブフレームであるかを示すことができる。従来のＡＢＳステータスＩＥは、２つの要素、すなわち、ＤＬ  ＡＢＳステータスと、使用可能なＡＢＳパターン情報とを含む。これらの２つの要素は、リソース・ステータス・アップデート（RESOURCE STATUS UPDATE）メッセージを経由して報告される。ＤＬ  ＡＢＳステータスは、ＵＥをセル間干渉から保護するために割り付けられたＡＢＳについてのリソース・ブロックのパーセンテージを含んでいる。使用可能なＡＢＳパターン情報は、使用可能なＡＢＳパターンを示しており、この使用可能なＡＢＳパターンは、ロード情報（LOAD INFORMATION）メッセージの中で搬送される対応するＡＢＳパターン情報ＩＥのサブセット、または対応するＡＢＳパターン情報ＩＥと同じものである。表１は、ＡＢＳステータス情報要素の例示の定義を示すものである。
【００２７】
【表１】
0005848448.tif 000002
【００２８】
図１は、マクロｅＮＢと、ピコセルｅＮＢとの間のＸ２インターフェースの上の従来のメッセージ・フローを概念的に示すものである。従来のメッセージ・フローは、いくつかの欠点を有している。例えば、現在の定義は、明確さを欠いている。ＡＢＳステータスＩＥは、明確に規定されてはおらず、また規格の異なる実装形態の間のあいまいさ、不整合、および／または非互換性を最終的にもたらす可能性がある解釈におけるあいまいさを導入している。あいまいさが、実装形態の自由を容易にするように意図することができるという議論を行うことができるが、この場合には、それは実際には当てはまらず、またいくつかの欠点をもたらす。別の例では、従来の仕様は、ＡＢＳステータス情報要素の中のＸ２の上で搬送される情報に基づいて効率的で動的なアルゴリズムをサポートする十分なメカニズムを提供してはいない。従来の仕様の特定の欠点のうちのいくつかが、以下で説明される。
【００２９】
第１に、ダウンリンクＡＢＳステータス要素は、ＡＢＳによりセル間干渉から保護されるＵＥについて割り付けられるＡＢＳについてのリソース・ブロックのパーセンテージを表す整数を含んでいる。「ＡＢＳによって保護されるＵＥ」要素の値は、ＤＬ  ＡＢＳステータスにおけるパーセンテージ算出のために使用されることもあるが、仕様は、どのようにしてＵＥのこのグループを分類すべきかを示してはいない。これは、この情報要素の値についての意味の解釈におけるあいまいさをもたらす可能性がある。例えば、ピコセルは、これらのリソースを割り付けられるユーザ機器の実際の信号対雑音比に関係なく、全体のＡＢＳサブフレームを割り付けることができる。次いで、ピコセルは、ＡＢＳについての１００％の使用を報告することができる。どのようにしてサブフレーム・リソースが、割り付けられているかを明確にする追加情報なしに、ＡＢＳ使用の％の現在の定義は、ＡＢＳサブフレームの数を追加し、または減少させるどのような実際の必要性とも関係なく、１００％の利用をもたらすことができる。さらに、ＤＬ  ＡＢＳステータスは、「ＡＢＳによって保護されるＵＥ」の数に対応している可能性があり、あるいは単一の積極的なＵＥからのものとすることができる。
【００３０】
第２に、ダウンリンクＡＢＳステータス要素により、ユーザ機器に割り付けられるＡＢＳについてのリソース・ブロックのパーセンテージが、定義されていない場合を含むことができるようになる。例えば、ＤＬ  ＡＢＳステータスの現在の定義は、現在のＲ１０仕様の中でさらに説明されてはいない「他の理由に起因した使用可能でないＡＢＳパターン」に依存している。
【００３１】
第３に、使用可能なＡＢＳ情報要素は、パーセンテージ算出についての分母を示している。しかしながら、この情報要素は、オール「０」を含む可能性があり、またこれは、「使用可能なＡＢＳ情報」がオール「０」であるときに、無効な計算を、例えば、ゼロによる割り算を、もたらす可能性がある。
【００３２】
第４に、ＡＢＳステータス情報要素の従来の定義は、構成されているＡＢＳパターンの適していることについて干渉しているｅＮＢに通知するメカニズムを提供してはいない。その結果として、ピコセルは、割り付けられたＡＢＳパターンが、ピコセルおよび／またはユーザ機器の必要性および／または制約条件に基づいて適切であり、あるいは望ましいか否かを示すどのようなフィードバックも提供することができない。
【００３３】
少なくとも部分的に、従来の実践におけるこれらの欠点に対処するために、本出願は、セル間干渉調整をサポートするために、オーバーレイした複数のアクセス・ノードの間の通信を容易にする技法の実施形態を説明するものである。例えば、本出願は、ＡＢＳステータスＩＥの中の「ＡＢＳによって保護されるＵＥ」および「保護されたＡＢＳ」についてのあいまいな従来の定義を補正するメッセージと情報要素とを説明している。本出願はまた、オーバーレイしたアクセス・ノードが、ＡＢＳパターンについての好みを示すことを可能にするメッセージング技法を説明している。一実施形態においては、「好ましいＡＢＳパターン」の解釈は、ロード情報メッセージの中に組み込まれている。本出願はまた、使用可能なＡＢＳパターン情報の使用を拡張する実施形態を説明している。例えば、本明細書において説明される実施形態は、干渉されたｅＮＢから干渉しているｅＮＢへとＡＢＳ情報を搬送するために、異なるＡＢＳパーセンテージ値を伴うオール「０」の使用可能なＡＢＳパターンについての組み合わされた新しい解釈をサポートする。本開示の恩恵を受ける当業者なら、アクセス・ノードの異なる実装形態が、本出願において説明される特徴または実施形態の異なる組合せを含むことができることを理解すべきである。例えば、１つのワイヤレス通信システムにおけるオーバーレイしたアクセス・ノードは、ＤＬ  ＡＢＳステータス要素と、使用可能なＡＢＳパターン情報と、ＡＢＳステータスＩＥに含まれ得る他の任意の要素とに対する修正形態を含むすべての特徴を実施することができる。代わりに、オーバーレイしたアクセス・ノードは、本明細書において説明される特徴または実施形態の選択された組合せを含むサブセットを実施することもできる。
【００３４】
一実施形態においては、ピコセルなどのオーバーレイしたアクセス・ノードは、どれだけ多くのユーザ機器が、割り付けられたほぼブランクのサブフレームによって「保護され」ているかを示す情報をフィードバックすることができる。「保護された」ユーザ機器は、ユーザ機器がピコセルによってサービスされていた間にオーバーレイしたマクロセルが送信していた場合に、受け入れ難いほど低い信号対雑音比を有することになるユーザ機器とすることができる。次いで、ＤＬ  ＡＢＳステータスは、定義されることもあり、その結果、「ＡＢＳによって保護されるＵＥ」のために割り付けられるＡＢＳリソースだけが、パーセンテージ算出の中にカウントされる。「ＡＢＳによって保護されるＵＥ」は、制約されたサブフレーム測定を必要とするＵＥだけを含むように解釈されることもある。例えば、「ＡＢＳによって保護されるＵＥ」の１つの可能な定義は、制約された無線リソース管理（ＲＲＭ／ＲＬＭ）および／またはチャネル状態情報（ＣＳＩ：channel state information）測定リソースを用いて構成されているＵＥを含むことができる。保護されたユーザ機器はまた、リソース・ステータス報告の最後の期間内に、ＡＢＳに対応するサブフレームのリソース・ブロックの中でスケジュールされることもある。
【００３５】
本明細書において説明される他の実施形態と別々に、または組み合わせて実施され得る他の実施形態においては、ピコセルは、特定の数の保護されたユーザ機器、または保護から恩恵を受けることができるいくつかのユーザ機器にフィードバックすることができるが、ＡＢＳパターンの中にリソースが割り付けられてはいなかった。第１のセルが、第２のセルによってオーバーラップされるとき、第２のセルは、第１のセルと通信するように選択されたデバイスの数を示すメッセージを受信することができる。その間に、通信が、第１のセルの内部で行われることが許可される一組のサブフレームは、次いで、第１のセルと通信するように選択されたデバイスの数に基づいて識別される可能性がある。例えば、一組のサブフレームは、その間に、第２のセルが、データ・トラフィックの伝送をバイパスさせるほぼブランクの一組のサブフレームを含むことができる。いくつかの実施形態においては、システム情報、ブロードキャスト情報、タイミング、基準信号などを送信するために使用される信号方式は、ほぼブランクのサブフレーム中に送信されることもある。次いで、一組のサブフレームを示すものが、第１のセルに対して配信されることもある。
【００３６】
このタイプのフィードバックの実施形態を使用して、ＡＢＳによって保護されるＵＥの数、または制約された測定のために構成されているが、現在割り付けられたほぼブランクのサブフレームの中でスケジュールされてはいなかったＵＥの数を信号で伝えることにより、システム負荷バランスとサービス品質オペレーションとを改善することができる。このフィードバックは、干渉されたｅＮＢにおいてＡＢＳ使用のより完全な表現を提供することもあり、この干渉されたｅＮＢは、干渉しているｅＮＢが、ＤＬ  ＡＢＳステータスを知ることをより良く支援することができ、その結果、干渉しているｅＮＢは、それに応じて、ＡＢＳパターンを設定し、または修正し、あるいは変更することができるようになる。例えば、干渉しているｅＮＢは、保護されたユーザ機器の増大する数、または減少する数に応じて、割り付けられたＡＢＳサブフレームを増大させ、または低減させることができる。代わりに、干渉されたｅＮＢによってサービスされるユーザ機器の総数に対する保護されたユーザ機器の数の比率を示す情報が、フィードバックされることもある。保護されたユーザ機器の数は、ｅＮＢと通信するように構成されているユーザ機器の数、および／または通信のためにスケジュールされ、かつ／またはｅＮＢと実際に通信しているユーザ機器の数を含むことができる。この種類のＵＥの数の指示は、例えば、ＡＢＳステータスＩＥグループの中に追加され得る新しいＸ２信号方式要素を規定するＴＳ  ３６．４２３に対する改訂の中の、関連のある規格によって規定され、または指定される可能性がある。様々な代替的な実施形態においては、ユーザ機器の数を示す情報要素は、１つまたは複数の以下の例示のフォーマットを使用することができる。しかしながら、本開示の恩恵を受ける当業者なら、これらのフォーマットが、例示的であることを意図しており、また代替的な実施形態が、異なるフォーマット、本明細書において説明されるフォーマットの組合せ、または他の構成を使用することができることを理解すべきである。
【００３７】
ひとたびＡＢＳサブフレームが識別された後に、ユーザ機器は、ＡＢＳサブフレーム中に、干渉されたｅＮＢと通信するように構成されている可能性があり、それによって干渉しているｅＮＢからの干渉を低減させている。ユーザ機器はまた、ＡＢＳサブフレーム中に、例えば、干渉されたｅＮＢによって、通信のためにスケジュールされることもあり、また次いで、ＡＢＳサブフレーム中に干渉されたｅＮＢと通信することができる。ＡＢＳサブフレーム中に、実質的には、通信は、ユーザ機器と、干渉しているｅＮＢとの間で行われることはない。本開示の恩恵を受ける当業者なら、語句「実質的に通信はない」が、ユーザ機器が、干渉しているｅＮＢに対して「リッスンして」おらず、また干渉しているｅＮＢが、ユーザ機器と、干渉しているｅＮＢとの間のデータ・トラフィックの伝送をバイパスさせていることを示すことを理解すべきである。しかしながら、干渉しているｅＮＢは、本明細書において考察されるように、依然として、システム情報、ブロードキャスト情報、タイミング情報、基準信号などを送信している可能性がある。
【００３８】
【表２】
0005848448.tif 000003
【００３９】
【表３】
0005848448.tif 000004
【００４０】
【表４】
0005848448.tif 000005
【００４１】
【表５】
0005848448.tif 000006
【００４２】
図２は、ほぼブランクのサブフレーム（ＡＢＳ）パターンを要求する方法の第１の例示の実施形態を概念的に示すものである。例証された実施形態においては、オーバーレイしたマクロセルからの干渉を受信している、ピコセルなどのアクセス・ノードは、その好ましいＡＢＳパターンを明示的に要求し、または干渉しているマクロｅＮＢが別のＡＢＳパターンに対して再構成するための要求を暗黙のうちに示すことができる。好ましいＡＢＳパターンを示すものを提供することは、非常に多くのマクロセルと、非常に多くのオーバーレイしたピコセルとを含むシステムにおいては特に、ＡＢＳ展開の調整プロセスを簡略化し、また機能強化することができる。例えば、ピコセルは、複数のマクロセルからＡＢＳパターンを割り付ける情報を受信することができ、またこの情報を使用して、異なるパターンの形で示されるＡＢＳサブフレームを最もよく使用するＡＢＳパターンを選択することができる。選択されたＡＢＳパターンを示す情報は、対応する１つまたは複数のマクロセルに対してフィードバックされる可能性がある。別の例では、マクロセルは、異なるピコセルからのフィードバックを使用して、異なるピコセルの異なる必要条件を最もよく満たすＡＢＳパターンを選択することができる。
【００４３】
図２に示される実施形態においては、干渉されたピコｅＮＢは、１）ＡＢＳ情報ＩＥがＡＢＳパターン情報ＩＥの形で示される要求されたＡＢＳパターンとともに含まれ、また２）同時にまたは並行して呼び出し指示ＩＥが「ＡＢＳ情報」に設定されるロード情報メッセージを送信することにより、干渉しているマクロｅＮＢに対して好ましいＡＢＳパターンを要求することができる。このようにして、好ましいＡＢＳパターンは、干渉しているマクロｅＮＢに対して信号で伝えられる可能性がある。上記２つの条件１）および２）が、同時に満たされる場合、干渉しているｅＮＢは、ＡＢＳスケジューリングのための考慮すべき事柄に受信されたＡＢＳ情報を取り入れることができる。しかしながら、干渉しているｅＮＢは、そのような情報をすぐに適用可能なものと考えることができない可能性があり、またそのようにして干渉しているｅＮＢは、後続のＡＢＳのスケジューリングおよび／または割付けにおいてフィードバックをオプションとして使用することができる。しかしながら、全体の要求されたＡＢＳパターンを信号で伝えることは、かなりのオーバーヘッドを招いてしまう可能性がある。例えば、ＡＢＳサブフレーム・パターンが、定期的に、例えば、４０個のサブフレームごとに１回、割り付けられる場合、そのときにはアクセス・ノードは、後続の４０個のサブフレームのために要求されるＡＢＳパターンを示すために、少なくとも４０ビットのフィードバックを提供するべきである。
【００４４】
図３は、ほぼブランクのサブフレーム（ＡＢＳ）パターンを要求する方法の第２の例示の実施形態を概念的に示すものである。全体の要求されたＡＢＳパターンを信号で伝える代わりに、第２の例示の実施形態に従って動作するアクセス・ノードは、現在割り付けられているＡＢＳパターンが適切であるか否かを信号で伝えることができる。アクセス・ノードは、パターンが適切であるか否かを示す必要があるだけであり、また全体のＡＢＳパターンを示す必要はないので、これは、信号オーバーヘッドを低減させることができる。しかしながら、本開示の恩恵を受ける当業者なら、アクセス・ノードが、図２および３に示されるほぼブランクのサブフレームを要求するための技法のうちの一方または両方のいずれかを使用するように構成され得ることを理解すべきである。例えば、いくつかのアクセス・ノードは、いずれかの技法を使用することができ、また現在の環境に応じて一方または他方の技法を利用するように構成されていることもある。
【００４５】
図３に示される実施形態においては、干渉されたピコｅＮＢは、使用可能なＡＢＳパターン情報要素の要素においてオール「０」を報告することにより、現在受信されており／割り付けられているＡＢＳパターンからの異なるＡＢＳパターンを干渉しているマクロｅＮＢに対して要求することができ、この使用可能なＡＢＳパターン情報要素は、リソース・ステータス・アップデート（RESOURCE STATUS UPDATE）メッセージの形で送信されることもある。異なる実施形態においては、オール「０」の使用可能なＡＢＳパターンは、異なるやり方で解釈される可能性がある。例えば、オール「０」のパターンのビットマップは、干渉されたｅＮＢが、ＡＢＳからの保護を必要としないことを示すように理解される可能性がある。その場合には、干渉しているｅＮＢは、割り付けられているＡＢＳサブフレームの数を低減させることができる。別の例では、オール「０」のパターンのビットマップは、干渉されたｅＮＢが、ＡＢＳ保護を必要とするが、干渉しているｅＮＢからの現在構成されているパターンが、干渉されたｅＮＢに対して適切ではないことを示すように理解されることもある。
【００４６】
従来のＤＬ  ＡＢＳステータス情報要素は、パーセンテージ算出のための分母として使用可能なＡＢＳパターンの値を使用する。その結果として、使用可能なＡＢＳパターン情報要素が、オール「０」のビットマップを含む場合に、ＤＬ  ＡＢＳステータスにおける従来のパーセンテージは、意味のないものとなる（また、ゼロによる割り算を含んでいる）。使用可能なＡＢＳパターン情報要素の中のオール「０」のビットマップは、それゆえに、追加の情報を伝えるように、再解釈され、または再規定されることもある。一実施形態においては、アクセス・ノードは、干渉されたｅＮＢが、ＡＢＳからの保護を必要としないことを示すように、使用可能なＡＢＳパターン情報要素の中のオール「０」のパターンと、ＤＬ  ＡＢＳステータス情報要素の中の０のパーセンテージ値との組合せを解釈することができる。代わりに、干渉されたｅＮＢは、使用可能なＡＢＳパターン情報要素の中のオール「０」のパターンを報告すること、およびＤＬ  ＡＢＳステータス情報要素の中の１００％の値を報告することにより、現在のＡＢＳパターンとは異なるＡＢＳパターンを要求することができる。本開示の恩恵を受ける当業者なら、代替的な実施形態において、追加の指示が、他のパーセンテージ値とのオール「０」の使用可能パターンの組合せに対して割り当てられる可能性があることを理解すべきである。
【００４７】
使用可能なＡＢＳパターン情報要素の中のオール「０」を受信するとすぐに、干渉しているマクロｅＮＢは、そのＡＢＳ構成を修正するための考慮すべき事柄にそのような情報を取り入れることができる。しかしながら、当業者なら、ＡＢＳのリソース・スケジューリングについての最終的な決定が、干渉しているマクロｅＮＢによって行われ得ることを理解すべきである。その結果として、干渉しているマクロｅＮＢは、「好ましいＡＢＳパターン」または「異なるＡＢＳパターンについての要求」を示す情報の受信に対して応答し、または受信に肯定応答する必要がない可能性がある。例証された実施形態においては、この情報は、ピコｅＮＢからマクロｅＮＢへのＡＢＳパターンの再構成についての推奨または要求を示している。使用可能なＡＢＳパターン情報要素の例示の一実施形態が、表２の中に示される。一実施形態においては、この例示の実施形態は、３ＧＰＰ  ＴＳ  ３６．４２３の改訂されたバージョンなどの規格によって指定されることもある。
【００４８】
【表６】
0005848448.tif 000007
【００４９】
要約すれば、本出願は、オーバーレイした複数のアクセス・ノードの間で交換され得るメッセージの実施形態を説明しており、またほぼブランクのサブフレームの割付けを調整するために使用される。本出願において説明される技法の例示の実施形態は、複数のｅＮＢの間のＸ２インターフェースの上の従来の信号方式に対する機能強化として実施されることもある。例えば、マクロ−ピコの場合についての従来のＡＢＳステータスＩＥは、ＤＬのＡＢＳステータスパーセンテージ算出における「ＡＢＳによって保護されるＵＥ」の新しい定義、「保護されたＵＥ情報」を示す報告および／または好ましいＡＢＳパターン、または異なるＡＢＳパターンについての要求を示す情報を含むように修正されることもある。本明細書において説明される「ＡＢＳによって保護されるＵＥ」の定義を使用するメッセージの実施形態は、干渉されたセルによるＡＢＳサブフレームの使用についての有用で、意味のあるフィードバックをサポートすることができる。「保護されたＵＥ情報」の情報要素の様々な実施形態を使用して、ＤＬ  ＡＢＳステータスを強化し、またネットワークが負荷バランシングおよび／またはスケジューリング・オペレーションを実行する助けを行うことができる。本明細書において説明される技法の実施形態を使用して好ましいパターンを要求することは、従来の実行に優るいくつかの利点を有することもできる。例えば、本明細書において説明される技法は、干渉されたｅＮＢの実際の必要条件についてのより詳細な情報を提供することができ、またこのようにして、不適切な、または許容不可能なＡＢＳパターンを構成する確率を低減させる助けを行う。別の例では、本明細書において説明されるフィードバックの実施形態は、示唆されたＡＢＳサブフレームのロケーションを示すことができる。次いで、干渉しているｅＮＢは、この情報を使用して、ＡＢＳサブフレームを追加させるべきか、または低減させるべきかと、どこでＡＢＳサブフレームを追加させるべきか、または低減させるべきかとを決定することができる。この情報は、従来のＡＢＳステータスＩＥから導き出すことができない。さらに別の例では、ＡＢＳサブフレームの望ましい「共通サブセット」が、干渉している複数のｅＮＢの間で（例えば、静的または半静的であるＯＡＭ構成を経由して）調整されないときには、提案されたＩＥは、今や、干渉しているｅＮＢが、共通のＡＢＳを要求することを可能にする。
【００５０】
開示された主題と、対応する詳細な説明との一部分は、ソフトウェア、またはアルゴリズムおよびコンピュータ・メモリの内部でのデータ・ビットについてオペレーションをシンボルで表すという観点から提示される。これらの説明および表現は、当業者が、彼らの仕事の本質を当業者のうちの他者に対して効果的に伝える説明および表現である。アルゴリズムは、その用語がここで使用されるように、またそれが一般的に使用されるように、望ましい結果をもたらすステップの自己矛盾のないシーケンスであるように考えられる。それらのステップは、物理的量についての物理的操作を必要とするステップである。通常、必ずしもそうであるとは限らないが、これらの量は、記憶し、転送し、結合し、比較し、またそうでなければ操作することができる光学的信号、電気信号、または磁気信号の形態を取る。これらの信号をビット、値、要素、シンボル、キャラクタ、用語、数字などを指すことは、時として、主として一般的な使用の理由のために便利であることが分かってきている。
【００５１】
しかしながら、これらの用語および類似した用語のすべては、適切な物理量に関連づけられ、また単に、これらの量に適用される便利なラベルにすぎないことを心に留めるべきである。別の方法で具体的に述べられていない限り、または考察から明らかである場合、「処理すること」、「計算すること」、「算出すること」、「決定すること」、「表示すること」などの用語は、コンピュータ・システムのレジスタおよびメモリの内部の物理的な、電子量として表されるデータをコンピュータ・システムのメモリまたはレジスタ、あるいは他のそのような情報ストレージ、伝送デバイスまたはディスプレイ・デバイスの内部の物理量として同様に表される他のデータへと操作し、また変換するコンピュータ・システム、または類似した電子コンピューティング・デバイスのアクションおよびプロセスのことを指す。
【００５２】
開示された主題のソフトウェアにより実施された態様は、一般的に、何らかの形態のプログラム・ストレージ媒体の上で符号化され、または何らかのタイプの伝送媒体の上で実施されることにも注意すべきである。プログラム・ストレージ媒体は、磁気的（例えば、フロッピー・ディスクまたはハード・ドライブ）または光学的（例えば、コンパクト・ディスク・リード・オンリー・メモリ、すなわち「ＣＤ  ＲＯＭ」）とすることができ、またリード・オンリーまたはランダム・アクセスのものとすることができる。同様に、伝送媒体は、ツイスト・ペア線、同軸ケーブル、光ファイバ、または当技術分野において知られている何らかの他の適切な伝送媒体とすることができる。開示された主題は、任意の与えられた実装形態についてのこれらの態様によって限定されるものではない。
【００５３】
上記で開示された、特定の実施形態は、開示された主題が、本明細書における教示の恩恵を受ける当業者にとって明らかな、異なるが、ただし同等の方法で修正され、また実践され得るので、例示的なものにすぎない。さらに、添付の特許請求の範囲において説明される以外には、本明細書において示される構造または設計の細部に対して、少しの限定も、意図してはいない。それゆえに、上記で開示される特定の実施形態は、変更され、または修正される可能性があり、またすべてのそのような変形形態は、開示された主題の範囲内にあるものと考えられることは、明らかである。したがって、本明細書において求められる保護は、添付の特許請求の範囲において記載されるようなものである。
【図１】
0005848448.tif 000008
【図２】
0005848448.tif 000009
【図３】
0005848448.tif 000010